(57)【要約】  【課題】短持間で効率よく安価に消臭できる電気掃除機を提供する。  【解決手段】ホースの操作手段の電動送風機22を駆動させる設定操作にて出力する所定のパルスおよび所定の電流値を中央処理手段が検出する。パルス出力に対応して消臭手段52のポンプ59が１秒間駆動し、消臭タンク56から第２の噴射管69を介して第２のノズル68から排気室38に消臭剤55を噴霧する。ポンプ59の所定時間の駆動後に電動送風機22は操作手段の設定内容に対応した駆動状態で駆動する。排気室38への消臭剤55の噴霧により、駆動時に集塵室14内の悪臭を伴った空気を排気口40から排気する前に消臭する。操作手段の電動送風機22の駆動を停止させる設定操作にて、弁体62を所定時間切り換えポンプ59を１秒間駆動させ、第１の噴射管66を介して第１のノズル65から集塵室14に消臭剤55を噴霧する。集塵室14内の集塵袋18に捕捉した塵埃からの悪臭の発生を防止する。  【選択図】図１
2006015161.tif 000002
【特許請求の範囲】
【請求項１】
吸込口およびこの吸込口に風路を介して連通する排気口を開口するケース体と、
このケース体内に前記風路中に位置して設けられ電動送風機を収容する電動送風機室と、
前記ケース体内に前記風路中に前記電動送風機の吸気側に位置して設けられた集塵室と、
消臭剤を前記風路内に噴射する噴射手段と
を具備したことを特徴とする電気掃除機。
【請求項２】
噴射手段は、電動送風機の始動時に風路内の集塵室より排気側に消臭剤を噴射する
ことを特徴とした請求項１記載の電気掃除機。
【請求項３】
噴射手段は、電動送風機の停止時に集塵室内に消臭剤を噴射する
ことを特徴とした請求項１または２記載の電気掃除機。
【請求項４】
噴射手段は、
消臭剤を貯留する貯留手段と、
前記消臭剤を噴射する風路に向けて異なる位置に複数開口する噴射口と、
これら噴射口を切り換える切換手段とを備えた
ことを特徴とする請求項１ないし３いずれか記載の電気掃除機。
【発明の詳細な説明】
【技術分野】
【０００１】
本発明は、吸い込んだ塵埃からの悪臭を消臭剤にて消臭する電気掃除機に関する。
【背景技術】
【０００２】
従来、この種の電気掃除機としては、例えば特開昭６２−６０５３０号公報に記載のように、集塵室の下流側である排気側に防臭処理が施された特殊フィルタを配設し、この特殊フィルタにて集塵室から排気される悪臭を消臭する構成が知られている（例えば、特許文献１参照。）。
【０００３】
しかしながら、この特開昭６２−６０５３０号公報に記載の従来の電気掃除機では、特殊フィルタの表面に塵埃などが付着して、防臭能力が低下し、十分な防臭機能が得られない。
【０００４】
また、集塵室の下流側や排気風を排気する排気口の上流側に粉粒状の固形の消臭剤を収容した通気性の消臭室を設け、集塵室からの排気を消臭する構成も知られている。
【０００５】
しかしながら、掃除中に流通する排気風に常に消臭剤が暴露され、また電動送風機が停止した掃除をしていない状態でも消臭機能が働いて消臭するため、消臭能力が直ぐに低下し、頻繁に消臭剤を充填あるいは交換する必要があり、保守管理が煩雑であるとともに、コストが増大する。
【０００６】
一方、吸い込んだ塵埃を捕捉する集塵袋に消臭機能を施す構成も知られているが、塵埃とともに廃棄される集塵袋のコストが増大するため、掃除コストが増大するとともに、上述の従来例と同様に常に集塵袋の集塵機能が働いている状態であるため、直ぐに消臭能力が低下して、集塵袋が一杯となっていないにもかかわらず消臭能力がなくなり消臭できなくなったり、多量に塵埃を吸塵し消臭機能が低下していないにもかかわらず集塵袋がいっぱいとなって新しい集塵袋と交換しなければならず、効率よく消臭できず、掃除コストが増大する。
【特許文献１】特開昭６２−６０５３０号公報
【発明の開示】
【発明が解決しようとする課題】
【０００７】
上述したように、特開昭６２−６０５３０号公報に記載の従来のものでは、特殊フィルタの表面に塵埃などが付着して、防臭能力が低下し、十分な防臭機能が得られなくなる。また、固形の消臭剤を風路中に配設する構成では、常に消臭機能が作用し続けるため、直ぐに消臭能力が低下する。さらに、集塵袋に消臭機能を施したものでは、コストが高いとともに、効率よく消臭機能が作用できず、効率よく安価に消臭できない問題がある。
【０００８】
本発明は、上記問題点に鑑みなされたもので、短時間で効率よく安価に消臭できる電気掃除機を提供することを目的とする。
【課題を解決するための手段】
【０００９】
請求項１記載の電気掃除機は、吸込口およびこの吸込口に風路を介して連通する排気口を開口するケース体と、このケース体内に前記風路中に位置して設けられ電動送風機を収容する電動送風機室と、前記ケース体内に前記風路中に前記電動送風機の吸気側に位置して設けられた集塵室と、消臭剤を前記風路内に噴射する噴射手段とを具備したもので、噴射手段にて吸込口から排気口に至る風路に消臭剤を噴射することにより、消臭剤が風路内に容易に拡散し、短時間で消臭するとともに、必要時に必要量、適宜消臭剤が噴射可能となり、効率よく消臭する。
【００１０】
請求項２記載の電気掃除機は、請求項１記載の電気掃除機において、噴射手段は、電動送風機の始動時に風路内の集塵室より排気側に消臭剤を噴射するもので、噴射手段にて電動送風機の始動時に集塵室より排気側の風路内に消臭剤を噴射するため、集塵室に捕捉した塵埃にて発生する集塵室内の悪臭が電動送風機の始動時にて排気口から排出される前に消臭され、消臭効率が向上する。
【００１１】
請求項３記載の電気掃除機は、請求項１または２記載の電気掃除機において、噴射手段は、電動送風機の停止時に集塵室内に消臭剤を噴射するもので、噴射手段にて電動送風機の停止時に集塵室内に消臭剤を噴射するため、吸塵した塵埃からの悪臭の発生が抑制され、効率よく消臭する。
【００１２】
請求項４記載の電気掃除機は、請求項１ないし３いずれか記載の電気掃除機において、噴射手段は、消臭剤を貯留する貯留手段と、前記消臭剤を噴射する風路に向けて異なる位置に複数開口する噴射口と、これら噴射口を切り換える切換手段とを備えたもので、切換手段にて複数設けた噴射口を切り換えて貯留手段からの消臭剤を切り換えた噴射口から噴射するため、適宜消臭剤を噴射する位置を切り換えることにより、効率よく消臭する。
【発明の効果】
【００１３】
請求項１記載の電気掃除機によれば、噴射手段にて吸込口から排気口に至る風路に消臭剤を噴射するため、消臭剤を風路内に容易に拡散でき、短時間で消臭できるとともに、常に消臭剤が風路中に位置せず必要時に必要量、適宜消臭剤を噴射でき、効率よく消臭できる。
【００１４】
請求項２記載の電気掃除機によれば、請求項１記載の電気掃除機に加え、噴射手段にて電動送風機の始動時に集塵室より排気側の風路内に消臭剤を噴射するため、特に集塵室に捕捉した塵埃にて発生する集塵室内の悪臭が電動送風機の始動時にて排気口から排出される前に消臭でき、少量の消臭剤にて効率よく消臭でき、消臭効率を向上できる。
【００１５】
請求項３記載の電気掃除機によれば、請求項１または２記載の電気掃除機に加え、噴射手段にて電動送風機の停止時に集塵室内に消臭剤を噴射するため、吸塵した塵埃からの悪臭の発生を抑制でき、少量の消臭剤にて効率よく消臭できる。
【００１６】
請求項４記載の電気掃除機によれば、請求項１ないし３いずれか記載の電気掃除機に加え、切換手段にて複数設けた噴射口を切り換えて貯留手段からの消臭剤を切り換えた噴射口から噴射するため、消臭剤を噴射する位置を適宜所望の位置に切り換えでき、少量の消臭剤にて効率よく消臭する。
【発明を実施するための最良の形態】
【００１７】
以下、本発明の電気掃除機の実施の一形態を図面を参照して説明する。
【００１８】
図１および図２において、１は電気掃除機本体で、この電気掃除機本体１は、上面を開口した下部ケース2a、および、この下部ケース2aの後部上面を閉塞する上部ケース2bとが、前面を含む周縁にバンパ３を挟持して接合されて前側上面部を開口したケース体としての本体ケース２を有し、この本体ケース２に前側上面部の開口を開閉自在に閉塞する蓋体４を回動自在に軸支して形成されている。
【００１９】
そして、本体ケース２は、進行方向の前側下面に旋回自在の旋回輪５が取り付けられ、後部両側下面には一対の従動後輪６が回転自在に設けられ、電気掃除機本体１は、旋回輪５と従動後輪６とにて走行可能となっている。また、本体ケース２の前部には、ハンドル７が設けられている。さらに、本体ケース２の後部には、商用交流電源に接続されるプラグ８を有した電源コード９を導出するコード口10が開口形成されている。
【００２０】
一方、電気掃除機本体１内には、図１に示すように、格子状の連通口12を有する隔壁13により、上方が開放された集塵室14が、電気掃除機本体１の進行方向の前側に区画形成されているとともに、この集塵室14の後方に電動送風機室15が区画形成されている。そして、集塵室14内には、この集塵室14内に枢着されたホルダ17により集塵袋18が着脱自在に装着されている。
【００２１】
また、隔壁13の前面には、その連通口12を覆う補助集塵フィルタ20が着脱自在に装着されている。なお、これら集塵袋18および補助集塵フィルタ20は、集塵室14の上面開口を介して着脱される。
【００２２】
一方、電動送風機室15内には、電源コード９を介して電源が供給される電動送風機22が配設されている。この電動送風機22は、図示しない例えばファンを軸にて回転駆動する電動部23と、ファンを覆うファンカバー24とからなっている。このファンカバー24の前面中央部には吸気口25が開口形成され、電動部23のフレームには図示しない排気口が開口形成されている。なお、電動部23の後端面の略中央には、ファンを回転駆動させる図示しない軸を支持する軸受が内設されたモータヘッド26が、後方に円柱状に突出形成されている。
【００２３】
また、電動送風機22の前端部には、前端の外周縁に環状のゴム製支持体28が嵌合され、後端部のモータヘッド26には、ゴム製の緩衝体29がモータヘッド26を覆うように取り付けられている。
【００２４】
一方、上部ケース2bの下面には、下方に向かって突出し、下端部がファンカバー24の外周面に沿って凹弧状に形成された上リブ前部31、および、この上リブ前部31より後方に位置して略平行に下方に向かって突出し、下端部が電動部23のモータヘッド26に取り付けられた緩衝体29の外周面に沿って凹弧状に形成された上リブ後部32がそれぞれ突出形成されている。
【００２５】
さらに、下部ケース2aの上面には、上リブ前部31および上リブ後部32に向かってそれぞれ対向して上方に向けて突出し、上端部がファンカバー24の外周面に沿って凹弧状に形成された下リブ前部33、および、上端部が電動部23のモータヘッド26に取り付けられた緩衝体29の外周面に沿って凹弧状に形成された下リブ後部34がそれぞれ突出形成されている。
【００２６】
そして、電動送風機22のモータヘッド26を覆うように取り付けられた緩衝体29が、上下リブ後部32，34の先端にて挟持され、電動送風機22の前部がゴム製支持体28を介して上下リブ前部31，33にて挟持固定されている。
【００２７】
なお、電動送風機22の前端側はゴム製支持体28により、電動送風機22の吸気口25が空気とともに吸い込んだ塵埃を集塵する集塵袋18を設けた集塵室14に連通口12を介して気密に連通している。
【００２８】
また、電動送風機室15の上部には、電動送風機22の駆動状態などを制御する回路などが搭載された図示しない回路基板を収容する回路室が区画形成されているとともに、ダクト室37が区画形成されている。
【００２９】
一方、電気掃除機本体１内には、電動送風機室15の後方に位置して、排気室38が区画形成されている。そして、この排気室38内には、帯電繊維などにて形成された高性能フィルタ39が着脱自在に配設されている。また、電気掃除機本体１の本体ケース２の後部には、排気室38内の高性能フィルタ39を介して電動送風機22の排気口に連通する排気口40が開口形成され、この排気口40には補助フィルタ41が着脱自在に装着されている。そして、排気室38の上部には、高性能フィルタ39の排気口40側である下流側に位置してダクト室37に連通する取付孔42が開口形成されている。
【００３０】
一方、蓋体４は、上部ケース2bに後端部が枢着されており、集塵室14を上方から開閉自在に覆うように形成されている。そして、この蓋体４の前側略中央には、ホース44を着脱自在に接続する吸込口45を開口する略円筒状の吸込部46が設けられている。また、この吸込部46の後端部には、吸込口45を集塵室14に連通する屈曲した筒状の連通管47が接続され、この連通管47に集塵袋18のホルダ17に取り付けられる取付板48の集塵孔49が連通される。そして、吸込口45から吸込部46、連通管47、集塵室14、電動送風機室15、排気室38を介して排気口40に連通する風路50を構成している。
【００３１】
また、蓋体４には、噴射手段である消臭手段52を配設するタンク室53が蓋体４の後端部にダクト室37に連通する連通孔54を開口して区画形成されている。そして、このタンク室37内には、例えば天然植物性分解消臭剤などの揮発性の高い液体の消臭剤55を収容する貯留手段としての消臭タンク56が配設されている。この消臭タンク56は、蓋体４の上面に上方に向けて開口し消臭剤55が流入される図示しない流入孔を開口形成し、この流入孔にはタンク蓋57が着脱自在に取り付けられている。
【００３２】
さらに、タンク室53には、回路室内の回路基板にて駆動状態が制御されるポンプ59が設けられている。このポンプ59は、消臭タンク56に取出管60を介して接続され、この取出管60にて消臭タンク56内の消臭剤55を引き抜いて搬送管61から搬出する。また、ポンプ59には、搬送管61を介して切換手段としての電磁弁などの弁体62が設けられている。さらに、この弁体62には、風路50を構成する連通管47の後端部に配設された第１の噴射口64を開口する第１のノズル65を先端部に有した第１の噴射管66と、連通孔54からダクト室37を介して取付孔42に風路50を構成する排気室38に臨んで配設された第２の噴射口67を開口する第２のノズル68を先端部に有した可撓性を有する第２の噴射管69とが接続されている。そして、この弁体62は、適宜第１の噴射管66および第２の噴射管69への連通状態を切り換え、第１のノズル65からの集塵室14内への消臭剤55の噴射および第２のノズル68からの排気室38への消臭剤55の噴射を調節する。なお、弁体62は、常時第２の噴射管69にポンプ59が連通するようになっている。
【００３３】
また、蓋体４の吸込部46に接続されるホース44は、一端部に吸込部46に嵌挿接続される接続管71を設け他端部に延長管72を介して吸込口体73を接続する把持部74を設けた可撓性を有するホース部75を有している。そして、把持部74には、電動送風機22の駆動状態を設定する各種ボタン76，76から構成された操作手段77が配設されている。
【００３４】
次に、上記実施の形態の回路構成を図３を参照して説明する。
【００３５】
81は直流定電圧電源で、この直流定電圧電源81は、電源コード９を介して供給される商用交流電源を直流に変換して直流定電圧を供給する。そして、この直流定電圧電源81には、電圧検出用の抵抗R1と分流用の抵抗R2および電圧検出用のスイッチS1の直列回路とが並列に接続されている。さらに、直流定電圧電源81には、相互リセット保持回路82が電圧検出用の抵抗R1に直列に接続されている。そして、この相互リセット保持回路82には、ホース44の操作手段77の各ボタン76，76の操作に対応して開閉する複数のスイッチS2〜S5が接続される。また、相互リセット保持回路82および直流定電圧電源81間には、操作手段77の各スイッチS2〜S5の閉成により異なる電流値を出力する電流制御手段83が接続されている。この電流制御手段83は、抵抗値の異なる抵抗R2〜R4が相互リセット保持回路82および直流定電圧電源81間に複数並列に接続されて構成されている。
【００３６】
さらに、直流定電圧電源81には、電圧検出用の抵抗R1を介して中央処理手段84が接続されている。そして、この中央処理手段84には、電動送風機22を所定の駆動状態で駆動させる所定の電力を供給する電力制御手段85が接続され、ホース44の操作手段77の操作により中央処理手段84が設定内容を検出して、電力制御手段85から所定の電力を電動送風機22に供給するようになっている。
【００３７】
また、中央処理手段84には、消臭手段52のポンプ59の駆動を制御するポンプ制御手段86および弁体62の開閉状態を制御する弁体制御手段87が接続され、適宜第１のノズル65および第２のノズル69からの消臭剤55の噴射状態を制御する。
【００３８】
さらに、中央処理手段84には、操作手段77の設定に対応して図示しない発音手段および発光手段を発音および発光させる報知手段88が接続されている。
【００３９】
次に、上記実施の一形態の動作について図４に示すタイミングチャートを参照して説明する。
【００４０】
掃除時には、蓋体４を閉じておき、ホース44や延長管72、吸込口体73を適宜接続し、電源コード９を引き出して電力を供給し、電源コード９より供給された電力により、ホース44の操作手段77の設定操作に対応して所定の駆動状態で電動送風機22を駆動させて掃除を行う。この電動送風機22の駆動によりホース44を介して吸込口45から空気とともに塵埃が吸い込まれ、電気掃除機本体１の集塵室14に導かれて、集塵袋18内に捕捉される。
【００４１】
なお、この集塵袋18により濾過された空気は、補助集塵フィルタ20、連通口12、電動送風機22の吸気口25、電動送風機22内、この電動送風機22の排気口、排気室38、高性能フィルタ39および補助フィルタ41を順次通って、排気口40から電気掃除機本体１外の外気へ排気風として排出される。
【００４２】
一方、操作手段77の電動送風機22を駆動させる設定操作により、操作手段77のいずれかのスイッチS2〜S5が閉成される。このスイッチS2〜S5の閉成により、電動送風機22を所定の駆動状態で駆動させる旨の所定のパルスが出力されるとともに、相互リセット保持回路82から電流制御手段83による所定の電流値が出力されて、パルス出力および電流制御手段83からの電流値を中央処理手段84が検出する。そして、中央処理手段84は、パルス出力に対応して報知手段88にて発音や発光などの報知を行わせるとともに、消臭手段52のポンプ59を所定時間、例えば１秒間駆動させて、消臭タンク56から第２の噴射管69を介して第２のノズル68から排気室38に消臭剤55を噴射させる。さらに、中央処理手段84は、消臭手段52のポンプ59の所定時間の駆動後に、電流制御手段83からの電流値に対応して電力制御手段85から所定の電力を電動送風機22に供給させて電動送風機22を操作手段77の設定内容に対応した駆動状態で駆動させる。
【００４３】
そして、この電動送風機22の駆動前に排気室38に消臭剤55を噴射、例えば噴霧することにより、駆動時に電気掃除機22内、特に集塵室14内の悪臭を伴った空気が排気口40から排気される前に消臭するため、電動送風機22の始動時の悪臭の排出が防止される。そして、揮発性の高い液体などの消臭剤55を噴霧するため、少量の消臭剤55を短時間で容易に拡散でき、少量の消臭剤55でも短時間で容易に消臭できる。
【００４４】
また、掃除の終了の際には、操作手段77の電動送風機22の駆動を停止させる設定操作により、所定のスイッチS2〜S5が閉成される。このスイッチの閉成により、電動送風機22を停止させる旨の所定のパルスが出力されるとともに、相互リセット保持回路82から電流制御手段83による所定の電流値が出力されて、パルス出力および電流制御手段83からの電流値を中央処理手段84が検出する。そして、中央処理手段84は、パルス出力に対応して報知手段88にて発音や発光などの報知を行わせるとともに、電力制御手段85から電動送風機22への電力の供給を停止させる。さらに、中央処理手段84は、弁体制御手段87にて弁体62を所定時間切り換えるとともに、消臭手段52のポンプ59を所定時間、例えば１秒間駆動させて、消臭タンク56から第１の噴射管66を介して第１のノズル65から集塵室14に消臭剤55を噴霧させる。
【００４５】
そして、この電動送風機22の駆動前に集塵室14に消臭剤55を噴霧することにより、集塵室14内の集塵袋18に捕捉した塵埃からの悪臭の発生が防止あるいは抑制される。
【００４６】
なお、消臭手段52のポンプ59の所定時間の駆動後、弁体62は常時の第２の噴射管69にポンプ59が連通した状態となる。
【００４７】
そして、消臭剤55は、消臭タンク56に設けた図示しない液面検出手段にて残量が確認でき、消臭剤55の量が少なくなった場合には、タンク蓋57を取り外して開口する流入孔から消臭剤55を補充する。
【００４８】
上記実施の形態によれば、電動送風機22の始動時に風路50内の集塵室14より排気側である排気室38に消臭剤を噴霧するため、消臭剤55を風路50内に容易に拡散でき、短時間で消臭できるとともに、特に集塵袋18に捕捉した塵埃にて発生する集塵室14内の悪臭が電動送風機22の始動時にて排気口40から排出される前に消臭でき、少ない消臭剤55にて効率よく消臭でき、効率を向上できる。
【００４９】
また、電動送風機22の停止時に集塵室14内に消臭剤55を噴霧するため、特に集塵室14内の集塵袋18に捕捉した塵埃からの悪臭の発生を防止あるいは抑制でき、集塵室14内の悪臭が電動送風機22の始動時にて排気口40から排出されず、少ない消臭剤55にて効率よく消臭でき、効率を向上できる。
【００５０】
そして、掃除の間、消臭剤55を噴霧して消臭せずに、電動送風機22の始動時や停止時に必要量の消臭剤55を噴霧するため、常に消臭剤55が風路中に位置せず少量の消臭剤55にて効率よく消臭できる。
【００５１】
さらに、弁体62にて複数設けた第１のノズル65および第２のノズル68を切り換えて消臭タンク56からの消臭剤55を切り換えた第１のノズル65の第１の噴射口64および第２のノズル68の第２の噴射口67から噴霧するため、消臭剤55を噴霧する位置を効率よく消臭できる位置に適宜切り換えることにより、少量の消臭剤55にて効率よく消臭できる。
【００５２】
なお、上記実施の一形態において、第１のノズル65および第２のノズル68を設けて複数の位置から消臭剤55を噴射する構成について説明したが、弁体62を設けず、吸込口45から排気口40までの風路50中の一か所のみから噴射するようにしてもでき、さらに複数の噴射口を設ける構成としてもよい。
【００５３】
また、消臭剤55として、液体を用いて説明したが、気体を噴射したり、粉粒体などの固体を噴射するなど、いずれの消臭剤55を用いてもできる。ところで、悪臭は、細菌などにより発生するため、消臭剤55としてアルコールなどを含有させて噴射することにより、アルコールの殺菌作用にて悪臭の発生がさらに抑制できる。
【００５４】
さらに、電気掃除機本体１および操作手段77に別途スイッチなどを設け、掃除作業者のスイッチ操作により、消臭剤55を噴射するようにしてもできる。この構成によれば、適宜必要時に必要量の消臭剤55を噴射でき、少量の消臭剤で効率よく短時間で容易に消臭できる。
【００５５】
そして、電気掃除機本体１としては、キャニスタ型に限らず、アップライト型などの吸込口体73が直接設けられたものなどでもできる。
【００５６】
次に、本発明の電気掃除機の他の実施の形態を図５を参照して説明する。
【００５７】
この図５に示す実施の形態は、図１ないし図４に示す実施の形態の消臭手段52のポンプ59の代わりに偏平状のファン91を用いたものである。
【００５８】
すなわち、蓋体４は、上面にタンク室53に連通して開口する吸気口92を開口形成している。さらに、蓋体４には、上方に開口する箱状の貯留手段としての消臭タンク93が設けられ、上面を開閉するタンク蓋94が回動可能に軸支されている。そして、消臭タンク93の底面および側面には、複数の通気孔95，95が穿設されている。さらに、タンク室53内には、吸気口92が開口するファン室96が区画形成されている。また、ファン室96には、風路50を構成する連通管47の後端部に開口する噴射口97を先端に開口する管状の噴射管98が接続されている。そして、消臭タンク93の通気孔95がファン室96および噴射管98に連通して形成されている。したがって、消臭タンク93内の例えば固形の消臭剤55や多孔質材に染み込まされた液体の消臭剤55は、消臭タンク93内および通気孔95を介して噴射管98に流入する。
【００５９】
一方、ファン室96には、偏平のファン91が回転自在に収容され、このファン91にはモータ99が接続されている。そして、モータ99は、図１ないし図４に示す実施の形態の中央処理手段84に接続されたポンプ制御手段86に対応する図示しないモータ制御手段にて駆動状態が制御され、ファン91を回転駆動する。
【００６０】
そして、電動送風機22の始動時および停止時、すなわちホース44の操作手段77の電動送風機22を駆動および停止させる設定操作により、中央処理手段84が設定操作を検出し、モータ制御手段にてモータ99を所定時間、例えば１秒間駆動させ、ファン91を回転させる。このファン91の回転により、吸気口92から空気が吸気されてこの空気はファン室96から消臭剤55が通気孔95を介して流入した噴射管98に空気が送気されるとともに、通気孔95，95から消臭タンク93を介して消臭剤55を空気中に含ませて再び通気孔95，95から噴射管98に送気される。そして、噴射管98から噴射口97より消臭剤55を含む空気を噴射、すなわち噴出させて消臭を行う。
【００６１】
次に、本発明のさらに他の実施の形態を図６を参照して説明する。
【００６２】
この図６に示す実施の形態は、図１ないし図４に示す実施の形態の消臭手段52の消臭タンクの代わりに消臭剤55が充填された貯留手段としてのボンベ101 を用いたものである。
【００６３】
すなわち、蓋体４には、消臭剤55が充填されたボンベ101 を収容する上方に開口した箱状のボンベ室102 が区画形成され、このボンベ室102 には上面を開閉する蓋部103 が回動可能に軸支されている。また、ボンベ室102 の一側には、ボンベ101 のガス取出ノズル104 が装着される弁部105 が設けられている。この弁部105 には噴射管106 が接続され、この噴射管106 の先端には風路50を構成する連通管47の後端部に噴射口107 が臨んたノズル108 が設けられている。さらに、弁部105 には、蓋体４の上部にスプリング110 にて上方に付勢された操作スイッチ111 が設けられ、スプリング110 の付勢に抗して操作スイッチ110 を押すと、ボンベ101 内の消臭剤55が噴射管106 を介してノズル108 から噴射される。
【００６４】
このカートリッジ式のボンベ101 を用いることにより、消臭剤55の充填作業がボンベ101 を交換するのみで、容易にできる。
【００６５】
なお、この図６に示す実施の形態において、操作スイッチ111 の操作により消臭剤55を噴射する構成について説明したが、図１ないし図４に示す実施の形態のように、弁部105 を制御して電動送風機22の始動時および停止時に所定時間、自動的に噴射させる構成としてもできる。
【図面の簡単な説明】
【００６６】
【図１】本発明の電気掃除機の実施の一形態を示す断面図である。
【図２】同上電気掃除機本体を示す斜視図である。
【図３】同上電気掃除機本体の回路構成を示すブロック図である。
【図４】同上電動送風機および消臭手段の動作を示すタイミングチャートである。
【図５】本発明の電気掃除機の他の実施の形態を示す断面図である。
【図６】本発明の電気掃除機のさらに他の実施の形態を示す断面図である。
【符号の説明】
【００６７】
１    電気掃除機本体
２    ケース体としての本体ケース
14    集塵室
15    電動送風機室
22    電動送風機
45    吸込口
40    排気口
50    風路
52    噴射手段としての消臭手段
55    消臭剤
56，93    貯留手段としての消臭タンク
62    切換手段としての弁体
64，67，107     噴射口
101   貯留手段としてのボンベ
【図１】
2006015161.tif 000003
【図２】
2006015161.tif 000004
【図３】
2006015161.tif 000005
【図４】
2006015161.tif 000006
【図５】
2006015161.tif 000007
【図６】
2006015161.tif 000008